(57)【要約】【課題】商品が各コラムに補充される際に生じる衝突音が周囲に洩れることを防止できるとともに、商品補充作業を支障なく行うことのできる自動販売機を提供する。【解決手段】自動販売機によれば、前面を開口した自動販売機本体１０、自動販売機本体１０の前面を開閉する外扉２０、内扉３０及び前列の商品収納コラム１１毎に設けられている複数の遮音部材４０を備えていることにより、商品Ａを各商品収納コラム１１に補充する際に生じる衝突音が周囲に洩れることがないので、騒音を低減することができる。また、遮音部材４０には商品Ａを投入するための開口部４１が設けられているので、商品投入作業を常に支障なく行うことができる。【選択図】図２
2007087265.tif 000002
【特許請求の範囲】
【請求項１】
前面を開口した自動販売機本体と、自動販売機本体の前面を開閉する外扉と、自動販売機本体内に設けられた商品収納庫と、商品収納庫内に設けられ、前面上部に商品投入口を有する複数の商品収納コラムとを備え、外扉を開放して商品投入口に商品を投入することにより商品収納コラムに商品を収納するようにした自動販売機において、
商品収納コラムの前面のうち少なくとも商品投入口の前面を覆うように配置され、商品を投入するための開口部が設けられた遮音部材を備え、
遮音部材を任意の商品投入口と開口部とが連通するように所定方向に移動可能に設けた
ことを特徴とする自動販売機。
【請求項２】
前記遮音部材を一端側と他端側にそれぞれ巻き取り部を有するロールスクリーン状に形成した
ことを特徴とする請求項１記載の自動販売機。
【請求項３】
前記遮音部材を自動販売機本体に対して着脱自在に構成した
ことを特徴とする請求項１又は２記載の自動販売機。
【請求項４】
前記遮音部材に商品投入口側の商品情報を表示する表示部を設けた
ことを特徴とする請求項１乃至３の何れか一項記載の自動販売機。
【請求項５】
前記遮音部材の一端側の巻き取り力と他端側の巻き取り力とを同等の大きさに設定した
ことを特徴とする請求項１乃至４の何れか一項記載の自動販売機。
【請求項６】
前記遮音部材の一端側の巻き取り力と他端側の巻き取り力のうち一方を他方よりも大きくなるように設定し、
遮音部材の移動を巻き取り方向任意の位置で規制可能な移動規制手段を備えた
ことを特徴とする請求項１乃至４の何れか一項記載の自動販売機。
【請求項７】
前記遮音部材を透明に形成した
ことを特徴とする請求項１乃至６の何れか一項記載の自動販売機。
【発明の詳細な説明】
【技術分野】
【０００１】
本発明は、店舗の店先や自動販売機コーナー等、屋外や屋内に設置される自動販売機に関するものである。
【背景技術】
【０００２】
従来、この種の自動販売機として、商品収納庫内にサーペンタイン式の複数のコラムが設置され、このコラムの前面上部には商品投入口が設けられているものが一般的に知られている。この自動販売機は、各商品投入口からコラム内の商品通路に缶飲料等の商品が横向きで補充されるようになっている。
【０００３】
しかしながら、各コラムの商品通路は上下方向に蛇行状に延びるように形成されているため、各商品投入口から補充される商品が蛇行した商品通路の内面に衝突しながら落下する。これにより、商品が各コラムに補充される際に生じる衝突音によって騒音を発生させるという問題点を有していた。
【０００４】
そこで、商品が各商品通路に補充される際に生じる衝突音を低減させるようにした自動販売機が知られている（例えば、特許文献１参照）。この自動販売機では、コラムの前面上部に設けられた各商品投入口に遮蔽部材を付設し、遮蔽部材で各商品投入口を覆うことにより、商品を各コラムに補充する際に生じる衝突音が各商品投入口から洩れないようにしている。
【特許文献１】特開平１０−２１４３７５号公報
【発明の開示】
【発明が解決しようとする課題】
【０００５】
しかしながら、前記自動販売機では、商品を投入する際、遮蔽部材に設けたスリットに商品を押し込むようにしているため、投入作業に支障を生ずるという問題点があった。
【０００６】
本発明は、上記事情に鑑みてなされたものであり、その目的とするところは、商品が各コラムに補充される際に生じる衝突音が周囲に洩れることを防止できるとともに、商品補充作業を支障なく行うことのできる自動販売機を提供することにある。
【課題を解決するための手段】
【０００７】
上記目的を達成するために、本発明の自動販売機は、前面を開口した自動販売機本体と、自動販売機本体の前面を開閉する外扉と、自動販売機本体内に設けられた商品収納庫と、商品収納庫内に設けられ、前面上部に商品投入口を有する複数の商品収納コラムとを備え、外扉を開放して商品投入口に商品を投入することにより商品収納コラムに商品を収納するようにした自動販売機において、商品収納コラムの前面のうち少なくとも商品投入口の前面を覆うように配置され、商品を投入するための開口部が設けられた遮音部材を備え、遮音部材を任意の商品投入口と開口部とが連通するように所定方向に移動可能に設けた構成となっている。
【０００８】
この自動販売機によれば、外扉が開放された状態で商品を補充しようとする商品収納コラムの商品投入口と遮音部材の開口部とが連通するように遮音部材を移動させ、商品投入口と連通した開口部に商品を投入して商品を補充する。このとき、商品を投入しない他の商品収納コラムの前面が遮音部材によって覆われているので、商品を商品収納コラムに補充する際に生じる衝突音が遮音部材の内側で反射し、周囲に洩れることがない。
【発明の効果】
【０００９】
本発明によれば、商品が各商品収納コラムに補充される際に生じる衝突音が周囲に洩れることを防止することができるので、騒音を低減することができる。また、遮音部材には商品を投入するための開口部が設けられているので、商品投入作業を常に支障なく行うことができる。
【発明を実施するための最良の形態】
【００１０】
図１乃至図３は本発明の一実施形態に係る自動販売機を示すもので、図１は自動販売機の全体斜視図、図２は自動販売機の全体斜視図、図３は自動販売機の概略断面図である。
【００１１】
自動販売機は、前面を開口した自動販売機本体１０、自動販売機本体１０の前面を開閉する外扉２０、内扉３０及び前列の商品収納コラム１１毎に設けられている複数の遮音部材４０を備えている。
【００１２】
自動販売機本体１０は前面を開口したものであり、缶飲料等の商品Ａを収納するためのサーペンタイン式の複数の商品収納コラム１１を設置した商品収納庫１２を備えている。この商品収納コラム１１の前面上部には、各商品収納コラム１１に連通する複数の商品投入口１３が設けられている。また、各商品収納コラム１１同士は複数の側板１１ａによって仕切られている。さらに、自動販売機本体１０には、各商品投入口１３から投入された商品Ａを各商品収納コラム１１内に導くための複数の誘導板１３ａが設けられている。
【００１３】
外扉２０は自動販売機本体１０の前面を開閉するものであり、この外扉２０の前面には商品サンプル２１、商品選択ボタン２２、紙幣投入口２３、硬貨投入口２４、硬貨返却口２５及び商品取出口２６が設けられている。また、外扉２０の幅方向一端側は自動販売機本体１０の幅方向一端側に回動自在に連結されている。
【００１４】
内扉３０は自動販売機本体１０内の商品収納庫１２を開閉するものであり、内扉３０の幅方向一端側は自動販売機本体１０の幅方向一端側に回動自在に連結されている。
【００１５】
遮音部材４０は遮音性シートからなり、商品投入口１３の前面を覆うように配置されている。また、遮音部材４０には商品Ａを投入するための開口部４１が設けられている。さらに、遮音部材４０は、上部巻き取り部４２と下部巻き取り部４３とを有し、上下方向に可動式のロールスクリーン状に形成されている。これにより、遮音部材４０は、商品Ａを補充しようとする商品投入口１３と開口部４１とが連通するように遮音部材４０を上下方向（図３に示す白抜き矢印の方向）に移動させて、開口部４１の位置を調整できるようになっている。また、商品Ａを投入しない商品投入口１３を覆う遮音部材４０は、商品投入口１３の前面に位置しないように遮音部材４０を上下方向に移動させて、開口部４１の位置を調整できるようになっている。
【００１６】
上部巻き取り部４２と下部巻き取り部４３の幅方向端部は、それぞれ自動販売機本体１０の側板１１ａの壁面に固定されている。また、上部巻き取り部４２と下部巻き取り部４３の巻き取り力は同等に設定されている。さらに、遮音部材４０全体は自動販売機本体１０内に収納可能に設けられている。
【００１７】
このように構成された自動販売機の動作について図１乃至図３を参照して説明する。
【００１８】
まず、自動販売機本体１０の前面を閉じている外扉２０と内扉３０を回動させて、自動販売機本体１０の前面を開放する。
【００１９】
次に、商品Ａを補充しようとする商品投入口１３を覆う遮音部材４０の開口部４１が商品投入口１３と連通するように、遮音部材４０を上下方向に移動させて、開口部４１の位置を調整し、商品投入口１３と開口部４１とを連通させる。また、商品Ａを投入しない商品投入口１３を覆う遮音部材４０の開口部４１が商品投入口１３の前面に位置しないように、遮音部材４０を上下方向に移動させて、開口部４１の位置を調整する。
【００２０】
続いて、各商品投入口１３の前面が遮音部材４０によって覆われた状態で、作業場所Ｂに立っているオペレータは、商品投入口１３と連通した状態の開口部４１に商品Ａを投入して商品Ａを補充する作業を行う。開口部４１に投入された商品Ａは、商品投入口１３を通じて、誘導板１３ａに誘導されながら各商品収納コラム１１内に落下する。このとき、遮音部材４０が障壁となるので、商品Ａを各商品収納コラム１１に補充する際に生じる衝突音が遮音部材４０の内側で反射し、周囲に洩れることがない。
【００２１】
このように、本実施形態の自動販売機によれば、商品Ａを各商品収納コラム１１に補充する際に生じる衝突音が周囲に洩れることを防止することができるので、騒音を確実に低減することができる。
【００２２】
また、遮音部材４０には商品Ａを投入するための開口部４１が設けられているので、商品投入作業を常に支障なく行うことができる。
【００２３】
さらに、商品Ａを投入しない商品投入口１３を覆う遮音部材４０の開口部４１を商品投入口１３前面に位置しないように調整することができるので、商品Ａを投入しない商品投入口１３を通じて周囲に洩れることがなく、騒音を一層低減することができる。
【００２４】
また、遮音部材４０を上下方向に可動なロールスクリーン状に形成したので、遮音部材４０を上下方向に容易に移動させることができ、作業性の向上を図ることができる。
【００２５】
さらに、遮音部材４０は商品投入口１３の前面を覆うように形成されているので、塵埃やゴミ等が商品収納コラム１１内に入り込むことを防止することができる。
【００２６】
また、遮音部材４０は商品投入口１３の前面を覆うように形成されているので、商品投入口１３への外気の侵入を防止することができるので、商品収納コラム１１内の温度変化を抑制することができ、商品Ａの温度を所定の温度に保つことができる。
【００２７】
図４は本発明の他の実施形態に係る自動販売機を示すもので、図４は自動販売機本体１０の概略正面図である。尚、前記実施形態で示した自動販売機と同一構成部分は同一符号をもって表し、その説明を省略する。
【００２８】
本実施形態の遮音部材５０は、商品投入用の開口部５１、上部巻き取り部５２及び下部巻き取り部５３を有し、上下方向に可動式のロールスクリーン状に形成され、上部巻き取り部５２の巻き取り力を下部巻き取り部５３よりも大きくなるように設定している。また、遮音部材５０の幅方向両端部には第１係止部５４が設けられている。
【００２９】
各商品収納コラム１１の側板１１ａには、複数の第２係止部１１ｂが等間隔で設けられている。
【００３０】
このように構成された自動販売機の動作について図４を参照して説明する。尚、自動販売機本体１０の前面を開放するまでの動作は前記実施形態と同様なので、その説明を省略する。
【００３１】
商品Ａを補充しようとする商品投入口１３を覆う遮音部材５０の開口部５１が商品投入口１３と連通するように、遮音部材５０を上下方向（図４に示す白抜き矢印の方向）に移動させて開口部５１の位置を調整し、第１係止部５４と開口部５１の位置に応じた第２係止部１１ｂとを係止させる。また、商品Ａを投入しない商品投入口１３を覆う遮音部材５０の開口部５１が商品投入口１３の前面に位置しないように、第１係止部５４と第２係止部１１ｂとの係止を解除する。これにより、上部巻き取り部５２の巻き取り力によって、遮音部材５０が上方向（図４に示す実線矢印の方向）に巻き取られ、商品Ａを投入しない商品投入口１３の前面が遮音部材５０によって完全に覆われる。
【００３２】
続いて、各商品投入口１３の前面が遮音部材５０によって覆われた状態で、作業場所Ｂに立っているオペレータは、商品投入口１３と連通した状態の開口部５１に商品Ａを補充する作業を行う。開口部５１に投入された商品Ａは、商品投入口１３を通じて、誘導板１３ａに誘導されながら各商品収納コラム１１内に落下する。そして、商品Ａの補充作業が完了した際に、遮音部材５０の開口部５１を上方向（図４に示す実線矢印の方向）に移動させるために、第１係止部５４と第２係止部１１ｂとの係止を解除する。これにより、商品投入口１３の前面が遮音部材５０によって完全に覆われる。商品投入口１３の前面が遮音部材５０によって覆われることにより、遮音部材５０が障壁となるので、商品Ａを各商品収納コラム１１に補充する際に生じる衝突音が遮音部材５０の内側で反射し、周囲に洩れることがない。
【００３３】
このように、本実施形態の自動販売機によれば、上部巻き取り部５２の巻き取り力を下部巻き取り部５３よりも大きくなるように設定し、第１係止部５４と第２係止部１１ｂとの係止を解除することによって、遮音部材５０の開口部５１の位置を容易に移動させることができ、作業性の向上を図ることができる。
【００３４】
また、商品Ａを投入しない商品投入口１３や商品Ａの補充作業が完了した商品投入口１３を覆う遮音部材５０の開口部５１を商品投入口１３前面に位置しないように調整することができるので、商品Ａを投入しない商品投入口１３を通じて周囲に洩れることがなく、騒音を一層低減することができる。
【００３５】
さらに、前記第１実施形態で示した自動販売機と同様、商品Ａを各商品収納コラム１１に補充する際に生じる衝突音が周囲に洩れることを防止することができるので、騒音を確実に低減することができる。
【００３６】
また、前記第１実施形態で示した自動販売機と同様、遮音部材５０には商品Ａを投入するための開口部５１が設けられているので、商品投入作業を常に支障なく行うことができる。
【００３７】
さらに、前記第１実施形態で示した自動販売機と同様、遮音部材５０を上下方向に可動なロールスクリーン状に形成したので、遮音部材５０を上下方向に容易に移動させることができ、作業性の向上を図ることができる。
【００３８】
また、前記第１実施形態で示した自動販売機と同様、遮音部材５０は商品投入口１３の前面を覆うように形成されているので、塵埃やゴミ等が商品収納コラム１１内に入り込むことを防止することができる。
【００３９】
さらに、前記第１実施形態で示した自動販売機と同様、遮音部材５０は商品投入口１３の前面を覆うように形成されているので、商品投入口１３への外気の侵入を防止することができるので、商品収納コラム１１内の温度変化を抑制することができ、商品Ａの温度を所定の温度に保つことができる。
【００４０】
尚、前記実施形態の遮音部材４０は、商品投入口１３の前面を覆うように配置したが、これに限られない。例えば、図５に示す遮音部材６０のように、商品収納コラム１１の前面全体を覆うように配置してもよい。これにより、商品Ａを各商品収納コラム１１に補充する際に商品収納コラム１１の全体から生じる衝突音が周囲に洩れることを一層防止することができるので、騒音を確実に低減することができる。
【００４１】
また、前記遮音部材４０を自動販売機本体１０に対して着脱自在に構成してもよい。例えば、図６に示すように、上部巻き取り部４２を、遮音性シートを収容するロール部７１と側板１１ａの壁面に圧接される圧接部７２とロール部７１と圧接部７２との間に設けられた螺合部７３とから構成し、螺合部７３を遮音部材４０の幅方向に伸縮させることによって、自動販売機本体１０に対して着脱自在になっている。また、遮音部材４０の下巻き取り部４３も同様に構成されている。これにより、遮音部材４０が自動販売機本体１０に対して着脱自在であるので、遮音部材４０を未装着の自動販売機に別途装着することができる。
【００４２】
さらに、図７に示すように、誘導板１３ａの前端部（商品投入口１３側）には、商品情報表示板１３ｂが設けられていてもよい。この商品情報表示板１３ｂには、販売温度や品名等の商品Ａの情報が記載されている。この場合、遮音部材４０には、小窓式の商品情報表示部４４を設けることにより、商品情報表示部４４に商品情報表示板１３ｂに表示された商品Ａの情報を表示するようにしてもよい。これにより、オペレータが迷うことなく商品Ａを商品投入口１３に補充することができ、作業時間が短縮されて作業性の向上を図ることができる。
【００４３】
また、前記実施形態は、内扉３０を開放すると、商品収納コラム１１の前面が開放されようにしたものに適用したが、商品投入口１３のみが開放されるものに適用してもよい。
【００４４】
また、前記遮音部材４０，５０，６０の色は限定されない。例えば、遮音部材４０，５０，６０が透明のシートで構成されている場合には、商品投入口１３の位置が明確になり、遮音部材４０，５０，６０の開口部４１，５１を所望の商品投入口１３に速やかに移動させることができる。
【００４５】
さらに、前記実施形態の遮音部材４０，５０，６０を構成する材料は遮音性を有していれば、例えば遮音部材４０，５０，６０が光反射性のシートで構成されていてもよい。これにより、商品収納コラム１１内の温度変化を一層抑制することができる。
【００４６】
また、前記遮音部材４０，５０，６０は、上下方向に移動するようにしたが、これに限られない。例えば、自動販売機本体１０の幅方向に移動するようにしてもよい。
【００４７】
さらに、前記遮音部材４０の上部巻き取り部４２は、商品投入口１３付近に固定されているが、これに限られない。例えば、図８に示すように、商品収納庫１２の奥行き方向中央付近に固定されていてもよい。これにより、開口部４１が上部巻き取り部５２に巻き取られることなく、商品投入口１３の前面に位置しないように遮音部材４０の開口部４１を調節することができる。
【００４８】
尚、本発明は、屋外に設置される自動販売機のみならず、屋内に設置される自動販売機にも適用することができる。
【図面の簡単な説明】
【００４９】
【図１】本発明の一実施形態に係る自動販売機の全体斜視図
【図２】本発明の一実施形態に係る自動販売機の全体斜視図
【図３】本発明の一実施形態に係る自動販売機の概略断面図
【図４】本発明の他の実施形態に係る自動販売機本体の概略正面図
【図５】本発明の実施形態に係る自動販売機の全体斜視図
【図６】本発明の実施形態に係る上部巻き取り部と仕切り板の概略正面図
【図７】本発明の実施形態に係る遮音部材の概略正面図
【図８】本発明の実施形態に係る自動販売機の概略断面図
【符号の説明】
【００５０】
１０…自動販売機本体、１１…商品収納コラム、１３…商品投入口、２０…外扉、３０…内扉、４０，５０，６０…遮音部材、４１，５１…開口部、４２，５２…上部巻き取り部、４３，５３…下部巻き取り部。
【図１】
2007087265.tif 000003
【図２】
2007087265.tif 000004
【図３】
2007087265.tif 000005
【図４】
2007087265.tif 000006
【図５】
2007087265.tif 000007
【図６】
2007087265.tif 000008
【図７】
2007087265.tif 000009
【図８】
2007087265.tif 000010